(57)【要約】【課題】容易に、且つ的確に、吸水管に液体貯水部を形成することができ、容器を深く傾斜、もしくは上下反転しても適量の液体を噴霧することができるスプレー容器を提供する。【解決手段】液体Ｗを収容する容器本体２と、容器本体２の上部に装着されるスプレーヘッド部４と、スプレーヘッド部から容器本体２内に連通する吸水管１０とを備えるスプレー容器１である。吸水管１０が、螺旋状に型付けされて液体貯水部１１を形成していることを特徴とする。また吸水管１０が、テーパー状の螺旋形状に型付けされていることが好ましい。【選択図】図１
0003160259.tif 000002
【実用新案登録請求の範囲】
【請求項１】
液体を収容する容器本体と、該容器本体の上部に装着されるスプレーヘッド部と、該スプレーヘッド部から前記容器本体内に連通する吸水管とを備えるスプレー容器において、
前記吸水管が螺旋状に型付けされて液体貯水部を形成していることを特徴とするスプレー容器。
【請求項２】
前記吸水管がテーパー状の螺旋形状に型付けされている請求項１記載のスプレー容器。
【請求項３】
前記液体貯水部が７〜１０ｍｌの貯水量を有する請求項１または２記載のスプレー容器。
【請求項４】
前記吸水管の先端部に重錘を装着した請求項１ないし３のうちいずれか一項に記載のスプレー容器。
【考案の詳細な説明】
【技術分野】
【０００１】
本考案は、容器内に収容された液体を噴霧するスプレー容器に関し、特に、容器を深く傾斜、もしくは上下反転しても確実に適量の液体を噴霧することができるスプレー容器に関する。
【背景技術】
【０００２】
加圧式スプレーではなく、スプレーヘッドのレバーを操作することで容器内の液体を噴霧させることができるポンプ式のスプレー容器は、今日、一般に広く使用されている。かかる容器の内部には、下端より液体を吸水してスプレーヘッドへ吸い上げるチューブ状の吸水管が具備されている。
【０００３】
しかし、一般的なレバー操作型のポンプ式スプレー容器は、上下反転した状態で使用すると吸水管の先端が液体の水面上に突出してしまい、レバーを操作しても液体を連続的に噴霧させることができないという欠点がある。また、上下反転しなくとも、液体が少なくない状態で容器を深く傾斜させると吸水管の先端が水面上に出してしまい、液体を噴霧させることができない。
【先行技術文献】
【特許文献】
【０００４】
【特許文献１】特開２００８−２３４０３号公報（特許請求の範囲等）
【０００５】
これらの問題に対し、スプレー容器を上下逆さまにしたり、スプレー容器を水平又はそれ以上に深く傾斜させても容器内部の液体を噴射することが出来るレバー操作型スプレーが報告されている（例えば特許文献１参照）。
上掲特許文献１には、スプレー容器内の液体吸い上げ管に、吸い上げた液体を溜めておくためのタンクを設けるか、又は液体の吸い上げ管の途中に太い径の管を設けたものである。
【考案の概要】
【考案が解決しようとする課題】
【０００６】
しかしながら、上掲特許文献１に記載された逆さまでも噴射出来るスプレーにおいては、液体の吸い上げ管の途中にタンクまたは太い径の管を設ける構造であるため、製造や加工が複雑になるとともに、貯水する液体の量の微調整が困難になるという欠点があった。
【０００７】
そこで本考案の目的は上記問題点を解消して、容易に、かつ的確に、吸水管に液体貯水部を形成することができ、容器を深く傾斜、もしくは上下反転しても適量の液体を噴霧することができるポンプ式のスプレー容器を提供することにある。
【課題を解決するための手段】
【０００８】
上記課題を解決するために、本考案のスプレー容器は、液体を収容する容器本体と、該容器本体の上部に装着されるスプレーヘッド部と、該スプレーヘッド部から前記容器本体内に連通する吸水管とを備えるスプレー容器において、前記吸水管が螺旋状に型付けされて液体貯水部を形成していることを特徴とする。
【０００９】
本考案においては、前記吸水管がテーパー状の螺旋形状に型付けされていることが好ましい。
【００１０】
また、前記液体貯水部は７〜１０ｍｌの貯水量を有することが好ましい。
【００１１】
さらに、前記吸水管の先端部に重錘を装着することが好ましい。
【考案の効果】
【００１２】
本考案によれば、吸水管が螺旋状に型付けされて液体貯水部を形成しているので、例えば、汎用の熱可塑性樹脂からなる吸水管を加熱した部材に巻回するだけで、容易に液体貯水部を形成することができる。また、巻回する回数や径の大きさ、更には加熱部材の形状等を調整することにより、貯水する液体の量の微調整が可能になる。
【００１３】
また、吸水管の先端部に重錘を装着することで、先端部が常に容器の底部に配設されて最後まで効率よく吸水することができる。
【図面の簡単な説明】
【００１４】
【図１】容器本体を断面した状態のスプレー容器の全体図である。
【図２】（ａ）（ｂ）（ｃ）は、夫々液体貯水部を形成する吸水管の異なる形状を示す部分側面図である。
【図３】本考案のスプレー容器の使用例を示す全体図である。
【考案を実施するための形態】
【００１５】
以下、本考案におけるスプレー容器の実施の形態を図面に基づいて説明する。
図示するスプレー容器１は、液体Ｗを収容する容器本体２と、容器本体２の上部に装着されるスプレーヘッド部４と、スプレーヘッド部４から容器本体２内に連通する吸水管１０とを備える。
【００１６】
容器本体２の材質は、樹脂、ガラス、金属等からなり、適宜形状を有している。また、容器本体２の内部には、洗浄剤、殺菌剤、防カビ剤、消臭剤、口臭剤、化粧水等の各種液体が収容される。
【００１７】
容器本体２の上部には、取り付けキャップ３を介してスプレーヘッド部４が着脱自在に装着されている。また、スプレーヘッド部４の先方下部にはレバー６が具備されており、かかるレバー６を操作することで、スプレーヘッド部４先端のノズルヘッド５から容器本体２内の液体Ｗを噴霧させることができる。尚、スプレーヘッド部４自体はポンプ式スプレーとして既知のものを適宜選定することができる。
【００１８】
容器本体２の内部には、スプレーヘッド部４から連通する吸水管１０が導入されている。かかる吸水管１０は細筒状の合成樹脂チューブからなり、上端はスプレーヘッド部４に着脱自在に接続され、下端は容器本体２の底部に配置されている。
【００１９】
また、特に、吸水管１０には、螺旋状に型付けされて形成された液体貯水部１１が設けられている。この液体貯水部１１は、吸水管１０の略中間部分に形成されている。従来の直線状の熱可塑性樹脂の吸水管１０を加熱部材（図示せず）に巻回させることで容易に螺旋状に形成することができる。さらに、吸水管１０は、スプレーヘッド部４に着脱自在に装着することで、加工が容易になるとともに、個別に販売することができ、如何なるスプレー容器にも装着することが可能となる。
【００２０】
液体貯水部１１は、吸水管１０の先端１２より吸水した液体Ｗを一定の量で貯水するものであり、例えば、図３に示すように、スプレー容器１を上下反転させ、吸水管１０の先端を液体Ｗの上面に突出させた状態でも、レバー６を操作すれば、液体貯水部１１に貯水された適宜量の液体Ｗを噴霧させることができる。そのため、トイレ便器の縁の底面、または浴槽の天井等に液体Ｗを噴霧する際、スプレー容器１を深く傾斜したり上下反転させたりしても、液体貯水部１１内にある適宜量の液体を吹き付けることができる。
【００２１】
また、容器本体２の形状は、通常、図２の（ａ）に示すように、底部に向かって広がった形状である。かかる容器本体２に対しては、その形状に合せて液体貯水部１１をテーパー状の螺旋形状を形成することが好ましい。例えば、直状の熱可塑性樹脂吸水管１０を円錐状の加熱部材に巻回させることにより、容易に、且つ的確にテーパー状で螺旋形状の液体貯水部１１を形成することができる。
【００２２】
また、液体貯水部１１は、容器本体２の形状や透明容器本体を用いたとき美的外観等の点から図２の（ｂ）に示すように、適宜幅ｄを有するコイルバネ状の螺旋形状に形成してもよい。さらに、液体貯水部１１を、図２の（ｃ）に示すように、小径状の螺旋形状に形成してもよい。この際、液体貯水部１１の適量貯水量を確保するために、液体貯水部１１の幅ｄ´をやや広く形成することが好ましい。
【００２３】
液体貯水部１１は、好ましくは７〜１０ｍｌの貯水量を有するように形成する。液体貯水部１１の貯水量を７〜１０ｍｌとなるように形成することで、スプレー容器１を上下反転させたり、深く傾斜させたりして使用しても、例えばトイレ便器の縁の底面や浴槽の天井等を掃除する際に必要とする適量の液体Ｗを噴霧させることができる。
【００２４】
さらに、吸水管１０の先端部１２に、重錘１３を装着することが好ましい。吸水管１０の先端部１２に重錘１３を装着することで、吸水管１０の先端部１２が常に容器本体２の底面に配置され、液体Ｗを最後まで無駄なく利用できる。なお、重錘１３は、液体Ｗの種類にもよるがステンレスやアルミ等の防錆性を有する素材で形成することが好ましい。
【００２５】
また、本考案のスプレー容器１は、レバー６を操作して液体を噴霧する様式のスプレー容器を示すがこれに限らず、ボタンを押して液体を噴霧するプッシュ式タイプのスプレー容器であっても、同様の効果を発揮できることは言うまでもない。
【符号の説明】
【００２６】
１  スプレー容器
２  容器本体
３  取り付けキャップ
４  スプレーヘッド部
５  ノズルヘッド
６  レバー
１０  吸水管
１１  液体貯水部
１２  先端
１３  重錘
Ｗ  液体
【図１】
0003160259.tif 000003
【図２】
0003160259.tif 000004
【図３】
0003160259.tif 000005